(57)【要約】【課題】外箱内におけるリード線と水槽等との接触を防止して、安全性を確保することができる洗濯機を提供する。【解決手段】本実施形態の洗濯機は、外箱内に弾性支持手段により弾性支持された水槽と、前記外箱の上部に設けられたトップカバーと、前記トップカバーに配設される電装部品側にその一端が接続され、他端が前記外箱側に配置されたリード線と、前記外箱の隅近傍に配置され、前記リード線を保護するカバー部材とを備え、前記カバー部材は、少なくとも前記水槽または前記弾性支持手段との干渉を避けるように蛇行する形状をなす。【選択図】図１
2014144069.tif 000002
【特許請求の範囲】
【請求項１】
外箱内に弾性支持手段により弾性支持された水槽と、
前記外箱の上部を覆うように設けられたトップカバーと、
前記トップカバーに配設される電装部品側にその一端が接続され、他端が前記外箱側に配置されたリード線と、
前記外箱の隅近傍に配置され、前記リード線を保護するカバー部材とを備え、
前記カバー部材は、少なくとも前記水槽または前記弾性支持手段との干渉を避けるように蛇行する形状をなすことを特徴とする洗濯機。
【請求項２】
前記カバー部材は、前記トップカバーに取付けるための第１取付部と、前記外箱に取付けるための第２取付部とのうち、少なくとも何れか一方の取付部を有することを特徴とする請求項１記載の洗濯機。
【請求項３】
前記トップカバーに、前記カバー部材の第１取付部が挿通される挿通穴を形成したことを特徴とする請求項２記載の洗濯機。
【請求項４】
前記トップカバーまたは前記外箱に、前記カバー部材を係止するための被係止部を備え、
前記カバー部材の取付部は、前記被係止部との当接により係止される係止部を有することを特徴とする請求項２または３記載の洗濯機。
【請求項５】
前記係止部は、前記被係止部と当接することで、前記カバー部材を上下方向に移動しないように位置決めする上下位置決め部を有することを特徴とする請求項４記載の洗濯機。
【請求項６】
前記係止部は、前記被係止部と当接することで、前記カバー部材を回り止めする回り止め部を有することを特徴とする請求項４また５記載の洗濯機。
【請求項７】
前記カバー部材の内面側に、当該カバー部材のエッジ近傍に位置させて突状のリブを設けたことを特徴とする請求項１から６の何れか一項記載の洗濯機。
【請求項８】
前記カバー部材は、前記第１取付部が前記トップカバーに取付けられることにより、または、前記第２取付部が前記外箱に取付けられることにより、前記トップカバー側または前記外箱側で支持された片支持構造であることを特徴とする請求項２から７の何れか一項記載の洗濯機。
【発明の詳細な説明】
【技術分野】
【０００１】
本実施形態は、洗濯機に関する。
【背景技術】
【０００２】
例えば水槽及び回転槽の軸方向が上下方向に指向する縦軸形の洗濯機では、その外箱内に貯水可能な水槽が弾性支持手段により弾性支持され、当該水槽内に洗濯槽兼脱水槽たる回転槽が回転可能に設けられている。前記弾性支持手段は、外箱上部の４隅部に、４本の吊り棒の上部を支持し、それら吊り棒の下部を、水槽の外周下部に突設された受け部にばね部材を介して支持することにより構成されている。
また、外箱の上側に配設されるトップカバーには、操作部及び表示部を備える操作パネルが設けられている。操作パネルの内方には、電装部品（電子ユニット）が収容されており、その電子ユニットに接続されたリード線は、トップカバー側から下方の外箱側に延びている。
【０００３】
前記のリード線は、脱水時に振動する水槽と接触すれば、当該リード線の被覆材が損傷したり断線する虞がある。この点、水槽の振幅量等を考慮すると、外箱内の４隅にリード線を配線する余地があるが、その４隅ではリード線が吊り棒と接触する可能性がある。このように、外箱内において、リード線と他の部材との接触を避けるスペースを確保するのは困難であり、その対策に苦慮しているのが実情である。
【先行技術文献】
【特許文献】
【０００４】
【特許文献１】特開平９−２８５６８５号公報
【発明の概要】
【発明が解決しようとする課題】
【０００５】
そこで、外箱内におけるリード線と水槽等との接触を防止して、安全性を確保することができる洗濯機を提供する。
【課題を解決するための手段】
【０００６】
本実施形態の洗濯機は、外箱内に弾性支持手段により弾性支持された水槽と、前記外箱の上部を覆うように設けられたトップカバーと、前記トップカバーに配設される電装部品側にその一端が接続され、他端が前記外箱側に配置されたリード線と、前記外箱の隅近傍に配置され、前記リード線を保護するカバー部材とを備え、前記カバー部材は、少なくとも前記水槽または前記弾性支持手段との干渉を避けるように蛇行する形状をなす。
【図面の簡単な説明】
【０００７】
【図１】第１実施形態のカバー部材を洗濯機全体の概略構成と共に示す破断側面図
【図２】トップカバーを外した状態で示す平面図
【図３】カバー部材近傍を拡大して示す正面図
【図４】カバー部材近傍を拡大して示す左側面図
【図５】（ａ）及び（ｂ）は、カバー部材の内面側及び表面側から見た拡大図
【図６】（ａ）は、トップカバーの挿通穴を下側から見た拡大斜視図、（ｂ）及び（ｃ）は、挿通穴に対するカバー部材の取付部の挿通時及び取付け後の状態を説明するための拡大図
【図７】第２実施形態を示す図１相当図
【図８】第３実施形態を示す図１相当図
【０００８】
＜第１実施形態＞
以下、第１実施形態について、図１から図６を参照して説明する。
図１に示すように、縦軸形の洗濯機（以下、単に洗濯機とする）において、洗濯機本体１の外郭は、矩形箱状をなす外箱２と、この外箱２の底部に設けられた台板３と、外箱２の上部を覆うように設けられたトップカバー４とを備えて構成されている。外箱２の内部には、槽５が収容されている。この場合、槽５は、有底円筒状をなす水槽６と、同じく有底円筒状をなし水槽６内に回転可能に配設された洗濯槽兼脱水槽たる回転槽７とから構成されている。水槽６及び回転槽７の中心軸線Ｃは、図１に一点鎖線で示すように上下方向を指向しており、このうち、水槽６は、後述する弾性支持手段８により、縦軸状態で弾性的に吊り下げ支持されている。水槽６の上端部には、略リング状をなす水槽カバー９が装着されており、この水槽カバー９の略中央部に、内蓋１０が開閉可能に設けられている。
【０００９】
回転槽７は、周側壁に脱水兼通風用の小孔７ａを有し、中心軸線Ｃ周りに回転可能とされている。この回転槽７内に洗濯物が出し入れ可能に収容される。回転槽７の上端開口部には、液体封入形の回転バランサ１１が装着されている。回転槽７内の底部には、撹拌体１２が回転可能に配設されている。そして、水槽６の外底部には、例えばアウターロータ形のブラシレスモータからなる洗濯機モータ１３が固定されている。この洗濯機モータ１３のロータ１３ａの回転は、図示しないクラッチ機構の作用により、洗濯時には撹拌体１２に伝達され、脱水時には回転槽７と撹拌体１２に伝達されて両者が一体的に回転するようになっている。かように、洗濯機では、洗濯機モータ１３を主体として駆動装置が構成されている。
【００１０】
前記トップカバー４は、前記内蓋１０の上方に位置させて洗濯物出入口１４を有していて、矩形枠状をなしている。洗濯物出入口１４は、二つ折り式の外蓋１５により開閉されるようになっている。トップカバー４の前部（図１で左側）には操作パネル１６が設けられている。操作パネル１６には、種々のスイッチからなる操作部及び各種の表示を行なう表示部を有する操作表示部（何れも図示せず）が設けられている。
【００１１】
前記トップカバー４の内部には、電装部品を含む各種の部品を収容するための収容部が設けられている。具体的には、トップカバー４の前側収容部１８には、操作パネル１６の下方部位たる裏面側に位置させて、操作ユニット１７が配置されている。操作ユニット１７は、操作パネル１６の各種操作部の操作に応動するもので、例えばマイクロコンピュータを主体に構成されている。また、操作ユニット１７は、前記表示部に対応するＬＥＤ等の電気部品が実装された基板等を備える。図示は省略するが、トップカバー４後部の後側収納部１９には、水位センサや給水装置が配設されている。水位センサは、前記水槽６底部の排水口に連通する水位検知用のエアトラップにエアチューブ（何れも図示略）を介して接続されている。前記給水装置は、水道等の給水源から供給される水を水槽６（回転槽７）内に供給する給水手段であり、図示しない給水弁等を備えている。このように、トップカバー４の収容部１８，１９は、操作ユニット１７、前記水位センサ、前記給水弁等を収容する電装部品収容部１８，１９を構成する。
【００１２】
外箱２の背面には、点検口２ａ（図３参照）が形成されており、この点検口２ａの覆う裏板２０が設けられている。また、外箱２の内部には、裏板２０の下側に位置させて電子ユニット２１が収容されている。電子ユニット２１は、洗濯機モータ１３を制御する手段として、或はモータ１３を含む各装置に電源を供給する手段として構成されており、前記操作ユニット１７に接続されている。
【００１３】
さて、外箱２の内部には、電装部品収容部１８，１９の各種電装部品（電気部品）と、電子ユニット２１との接続に供する複数のリード線からなるリード線群２２が配線されている。そして、図１に示すように、リード線群２２は、トップカバー４下部と外箱２上部との間にわたって、カバー部材２３により覆われている。カバー部材２３は、前記弾性支持手段８や水槽６等との接触によるリード線の断線や、その被覆材の損傷を防止するようになっている。
【００１４】
ここで、弾性支持手段８の構成について説明しておく。弾性支持手段８は、図１、図２に示すように、４本の吊り棒２５及び４個のコイルばね２６を備えている。吊り棒２５の上端部は、略球状をなしており、外箱２上部の４隅部に固定された上受座２７に取付け支持されている。吊り棒２５は、その上端部と上受座２７との接続部分を支点に揺動する。水槽６下部の外周部における外箱２の４隅部に対応する部位には、４つの下受座２８が突設されている。吊り棒２５の下端部は、下受座２８に挿通されている。
【００１５】
そして、吊り棒２５の下端部には、下受座２８と当該吊り棒２５下端との間にコイルばね２６が外装されている。これにより、弾性支持手段８は、水槽６を、コイルばね２６を介して弾性吊持する構成となっている。この場合、水槽６は、吊り棒２５の揺動による水平方向への移動と、コイルばね２６の弾性力による上下方向への移動が可能であり、外箱２に対する相対的な移動が許容されている。
【００１６】
前記カバー部材２３は、例えば絶縁体である合成樹脂材料からなり、図３〜図５に示すように、全体として略筒状をなすとともに、蛇行形状をなしている。カバー部材２３は、例えばＰＰ（ポリプロピレン）等のように比較的剛性が高く且つ可撓性を有する材料を用いて、樹脂成形により形成されている。
図３に示すように、カバー部材２３は、その径寸法Ｄ１について、リード線を束ねたリード線群２２全体の径寸法Ｄ２よりも大きく設定され（Ｄ１＞Ｄ２）、リード線群２２を覆う。カバー部材２３は、その延設方向たる上下方向に延びる上端の直状部３０ａ及び下半部の直状部３０ｂとの間に、曲状部３１ａ，３１ｂを有することにより、前記蛇行形状をなす。具体的には、図５（ａ）の矢印Ａ及びＢが付された第１曲状部３１ａ及び第２曲状部３１ｂは、当該カバー部材２３内のリード線群２２を無理なく蛇行させうるように、比較的緩やかな曲率に設定されている。
【００１７】
この場合、図３の正面図で示すように、カバー部材２３は、曲状部３１ａ、３１ｂの湾曲によって、上端の直状部３０ａが吊り棒２５の上受座２７よりも中央側（同図で右側）に位置する一方、下半部の直状部３０ｂが外箱２左端の内壁２ｂ側へ寄る形態をなす。また、図４の左側面図で示すように、カバー部材２３は、曲状部３１ａ、３１ｂによって、下半部の直状部３０ｂが外箱２後側の内壁２ｃに沿うように後方へ緩やかに湾曲している。換言すれば、カバー部材２３は、吊り棒２５の取付部分（上受座２７）、並びに脱水時の水槽６及び吊り棒２５の各振幅量等を考慮して、それら外箱２内の部材６、２５，２７とリード線群２２との干渉を避けるように、外箱２隅部でリード線群２２を保持する保持部材として構成されている。
【００１８】
図４、図５（ａ）に示すように、カバー部材２３は、その上端から下端にわたって背面側を切欠くようにして形成された開放側３２を有する。つまり、カバー部材２３において、外箱２内壁２ｃに臨む側は開放側３２とされ、リード線群２２に対して開放側３２から簡単に被せることができる。
【００１９】
カバー部材２３には、リード線群２２を開放側３２から抱え込む複数（例えば３つ）の抱持部３３、３４、３５が設けられている。具体的には図５（ａ）に示すように、これら第１抱持部３３、第２抱持部３４及び第３抱持部３５は、夫々第１曲状部３１ａ、第２曲状部３１ｂ及び直状部３０ｂにおいて、張出片の如く一体成形されている。開放側３２における各抱持部３３〜３５の各張出寸法（背面側を囲う方向への突出寸法Ｌ１）は、カバー部材２３からリード線群２２が外れないよう、所定寸法（例えば径寸法Ｄ１の半分（Ｌ１＝Ｄ１／２））に設定されている。また、抱持部３３〜３５は、相互に突出する向きが互い違いとされ、且つ曲状部３１ａ、３１ｂに合せて抱持部３３，３４間のピッチが狭められている。このため、抱持部３３，３４，３５によって、特に曲状部３１ａ、３１ｂでもリード線群２２が確実に保持される。
【００２０】
図５（ａ）（ｂ）に示すように、カバー部材２３には、前記樹脂成形時における成形型により、３つの抱持部３３〜３５と併せて３つの開口部３６，３７，３８と、それら開口部３６〜３８周縁のリブ３６ａ，３７ａ，３８ａとが設けられている。
【００２１】
具体的には、図３、図５（ａ）に示すように、第１開口部３６は略矩形状をなして、第１抱持部３３に臨む位置に設けられている。第１リブ３６ａは、カバー部材２３の内面側における第１開口部３６のエッジから若干離間した位置に形成されている。同様に、第２開口部３７は第２抱持部３４に臨む位置に設けられ、第２開口部３７のエッジを囲う位置に第２リブ３７ａが設けられている。また、第３開口部３８は第３抱持部３５に臨む位置に設けられ、第３開口部３８のエッジを囲う位置に第３リブ３８ａが設けられている。上記のリブ３６ａ〜３８ａは、カバー部材２３の内面側で小突状をなしており、各開口部３６〜３８におけるエッジからリード線群２２を保護するようになっている。
【００２２】
続いて、カバー部材２３における、トップカバー４に対する取付構造について、図６も参照しながら説明する。図６（ａ）は、カバー部材２３上側の直状部３０ａが挿通されるトップカバー４の挿通穴４０近傍を、下側から見た拡大斜視図である。
トップカバー４の挿通穴４０は、カバー部材２３の直状部３０ａの挿通が可能な寸法形状に形成され、且つトップカバー４の底部を上下方向に貫通している。挿通穴４０の内壁には、カバー部材２３を係止するための被係止部４１，４２が突設されている。図６（ａ）に示すように、被係止部４２は、下側（同図の紙面手前側）から見て三角形状をなす一方、被係止部４１は、垂直部４１ａと、当該垂直部４１ａの下側に連なる水平部４１ｂとでＬ字状をなす。
【００２３】
そして、カバー部材２３の直状部３０ａは、トップカバー４に取付けるための第１取付部とされ、上記の被係止部４１、４２に対応する係止部４５、４６、４７が一体形成されている。詳細には、図５（ｂ）、図６（ｂ）（ｃ）に示すように、カバー部材２３の表面（おもてめん）には、直状部３０ａに位置させて、その挿通方向に延びる３つの係止部４５，４６，４７が突条をなすように並べて設けられている。各係止部４５〜４７は、前記挿通方向から見て略矩形の外形をなし（図６（ｂ）参照）、被係止部４１，４２に対する当接が可能に構成されている。このうち、中央の係止部４６は、右側の係止部４５に対する間隔について、外周側（先端側）が拡がるように傾斜している。この中央と右側の係止部４５，４６は、後述するカバー部材２３の挿通時に、被係止部４１の水平部４１ｂを挟んだ状態で、当該被係止部４１に当接させて挿通方向へガイドさせるガイド機能を有する（図６（ｂ）参照）。
【００２４】
一方、図６（ｃ）に示すように、右側の係止部４５と左側の係止部４７は、挿通穴４０内において、被係止部４１の垂直部４１ａと被係止部４２の垂直面４２ａとに挟まれた状態で当接される。これら左右の係止部４５，４７は、被係止部４１，４２と当接することで、カバー部材２３を回り止めする回り止め部として機能する。
【００２５】
こうして、カバー部材２３のトップカバー４に対する組付けは、単に係止部４５，４７を被係止部４１，４２に係止させることにより行うことができる。即ち、カバー部材２３をトップカバー４に取付ける際、先ず図６（ｂ）に示すように、カバー部材２３における中央の係止部４６と右側の係止部４６を、挿通穴４０の被係止部４１にガイドさせるようにして、下側から差し込み挿通する。この場合、カバー部材２３は、右側の係止部４６が被係止部４１の垂直部４１ａより奥方に位置するまで差し込み、その後、左側の係止部４７が、被係止部４２の垂直面４２ａに突き当てる方向（図６（ｂ）の矢印方向）に回す。こうして、カバー部材２３は、左右の係止部４５，４７と被係止部４１，４２との当接により回り止めし、その状態で今度は引き込むようにして、右側の係止部４５を被係止部４１の水平部４１ｂに上側から当接させる（図６（ｃ）参照）。この係止部４５と被係止部４１との当接により、カバー部材２３は、挿通穴４０にて下方へ抜けないようになっている。従って、係止部４５は、カバー部材２３を上下方向に移動しないように位置決めする上下位置決め部として構成されている。
【００２６】
他方、カバー部材２３における下半部の直状部３０ｂには、外箱２に取付けるための第２取付部５０が設けられている。第２取付部５０は、図３〜図５に示すように、外箱２後側の内壁２ｃに面接触する取付座５１，５２と、取付座５１，５２の両端部に設けられたネジ５３用の穴部５４，５５とを備える。
【００２７】
取付座５１，５２は、カバー部材２３の開放側３２に、直状部３０ｂに沿って平坦面を形成しており、その平坦面から後方へ突出する小突起５１ａ，５２ａを一体に有する。これら小突起５１ａ，５２ａが、外箱２の内壁２ｃに形成された嵌合穴５６，５７（図４参照）嵌合することで、カバー部材２３が外箱２の内壁２ｃの所定の位置に取付けられる。また、カバー部材２３は、穴部５４，５５に夫々挿通されたネジ５３が外箱２の内壁２ｃに螺挿されることにより外箱２に対して固定される。
【００２８】
尚、図５（ｂ）に示す取付座５１，５２間の穴部５８には、図示しないインシュロックが挿通される。このインシュロックで、リード線群２２をカバー部材２３ごと巻き掛けるようにして保持することができる。また、図示は省略するが、カバー部材２３の取付座５１，５２と外箱２の内壁２ｃとの間に、弾性力を有するシート材を介在させるようにしてもよい。この弾性体としてのシート材によって、仮にカバー部材２３に脱水時の水槽６が接触したとしても、その衝撃を緩和することができる。
【００２９】
次に上記構成の作用について説明する。
図３、図４に示すように、リード線群２２は、カバー部材２３で覆われるとともに、カバー部材２３によって、外箱２の隅近傍で保持される。この場合、カバー部材２３は、トップカバー４に対する取付部である直状部３０ａから下側の部分は、水槽６や吊り棒２５の振幅量を考慮して、それら水槽６や吊り棒２５等とカバー部材２３が接触しないように蛇行している。従って、脱水時等に水槽６が振動し、吊り棒２５が前記上受座２７との接続部分を支点に揺動しても、それら水槽６や吊り棒２５とリード線群２２とが、カバー部材２３により接触することがなく、安全性を確保することができる。尚、カバー部材２３において、その開放側３２を外箱２内壁２ｃに向けた状態で取付けられるため、当該開放側３２で開放された形態であってもリード線群２２の保護機能が減殺されることはない。
【００３０】
以上説明したように、本実施形態の洗濯機は、トップカバー４に配設される電装部品側にその一端が接続され、他端が外箱２側に配置されたリード線と、外箱２の隅近傍に配置され、リード線を保護するカバー部材２３とを備え、カバー部材２３は、少なくとも水槽６または弾性支持手段８との干渉を避けるように蛇行する形状をなす。
これによれば、脱水時に水槽６または弾性支持手段８が振動しても、カバー部材２３によって、リード線と水槽６または弾性支持手段８との接触を防止することができ、安全性を確保することができる。また、外箱２内の限られたスペースで、カバー部材２３によりリード線を蛇行させる配線を行うことができる。
【００３１】
尚、本実施形態のカバー部材２３は、比較的剛性が高い材料を用いて、外箱２の隅近傍でリード線を保持する保持部材として構成した。これによれば、比較的簡単な構成で、より確実に水槽６等との接触を防止することができる。
【００３２】
本実施形態のカバー部材２３は、トップカバー４に取付けるための第１取付部３０ａと、外箱２に取付けるための第２取付部５０との双方を有する。これによれば、カバー部材２３を、トップカバー４側と外箱２側との双方に取付けることができ、ひいてはリード線をより確実且つ安全に保護することができる。
トップカバー４に、カバー部材２３の第１取付部３０ａが挿通される挿通穴４０を形成した。これによれば、カバー部材２３の第１取付部３０ａを挿通穴４０に挿通することにより、トップカバー４の所定位置に取付けることができ、リード線の配線やカバー部材２３の組付けに好適なものとすることができる。
【００３３】
トップカバー４または外箱２に、カバー部材２３を係止するための被係止部４１，４２を備え、カバー部材２３の取付部は、被係止部４１，４２との当接により係止される係止部４５〜４７を有する。これによれば、被係止部４１，４２に係止部４５〜４７を係止させることで、トップカバー４または外箱２に対するカバー部材２３の取付けを行うことができ、取付構造の簡単化と組付け作業の効率化を図ることができる。
係止部４５〜４７は、被係止部４１と当接することで、カバー部材２３を上下方向に移動しないように位置決めする上下位置決め部４６を有する。これによれば、上下位置決め部４６と被係止部４１との当接により、カバー部材２３が抜け落ちないように組付けることができる。
【００３４】
係止部４５〜４７は、被係止部４１，４２と当接することで、カバー部材２３を回り止めする回り止め部４５，４７を有する。これによれば、本実施形態のようにカバー部材２３が蛇行する形状であっても、脱水時の振動等に抗して回り止めされるため、水槽６等との接触を確実に防止することができる。
カバー部材２３の内面側に、当該カバー部材２３のエッジ近傍に位置させて突状のリブ３６ａ〜３８ａを設けた。これによれば、リブ３６ａ〜３８ａによって、例えば開口部３６〜３８等のエッジに対しリード線が触れないように保護することができる。
【００３５】
＜その他の実施形態について＞
図７及び図８は、第２実施形態及び第３実施形態を示すものであり、既述の部分と同一部分には同一符号を付す等して説明を省略し、以下異なる点につき説明する。
【００３６】
図７に示す第２実施形態のカバー部材６０は、外箱２における前側の隅部に配置されている。カバー部材６０は、同図に概略的に示すように、水平な直状部６１と垂直な直状部６２とで構成され、全体として略Ｌ字状をなす。詳しい図示は省略するが、カバー部材６０の直状部６１の外周には、トップカバー４底部の被取付部６３に対して、図示しないネジにより固定される第１取付部６１ａが設けられている。一方、カバー部材６０の直状部６２の外周には、外箱２上部の被取付部６４に対して、図示しないネジにより固定される第２取付部６２ａが設けられている。これにより、カバー部材６０は、各被取付部６３，６４を介して、第１取付部６１ａがトップカバー４に、第２取付部６２ａが外箱２に対して夫々固定されることにより、水槽６や吊り棒２５等と接触しないように蛇行した形態で配置される。尚、カバー部材６０において、第１実施形態における抱持部３３〜３５、開口部３６〜３８及びリブ３６ａ〜３８ａは省略された構成にある。
【００３７】
従って、本第２実施形態のカバー部材６０によっても、リード線と水槽６または弾性支持手段８との接触を防止することができる等、第１実施形態と同様の効果を奏する。
図８に示す第３実施形態のカバー部材７０は、第２実施形態のカバー部材６０と以下の点で相違する。即ち、カバー部材７０は、第２取付部６２ａが省略され、第１取付部６１ａがトップカバー４の被取付部６３´に対して取付け固定されている。このように、カバー部材７０は、第１取付部６１ａが被取付部６３´に取付けられることにより、トップカバー４側で支持された片支持構造にある。これにより、仮にカバー部材７０下部の直状部６２が水槽６等と接触したとしても、カバー部材７０自身の可撓性と、自由端にした直状部６２により、破損を防止することができる。また、本第３実施形態のカバー部材７０によっても、リード線と水槽６または弾性支持手段８との接触を防止することができる等、第１実施形態と同様の効果を奏する。
【００３８】
尚、図示は省略するが、カバー部材は、第２取付部６２ａ（図７参照）が外箱２に取付けられることにより、外箱２側で支持された片支持構造としてもよい。
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
図面中、２は外箱、４はトップカバー、６は水槽、８は弾性支持手段、２３，６０，７０はカバー部材、３０ａ，６１ａは第１取付部、３６ａ〜３８ａはリブ、４０は挿通穴、４１，４２は被係止部、４５〜４７は係止部、４５は上下位置決め部、４５，４７は回り止め部、５０，６２ａは第２取付部を示す。
【図１】
2014144069.tif 000003
【図２】
2014144069.tif 000004
【図３】
2014144069.tif 000005
【図４】
2014144069.tif 000006
【図５】
2014144069.tif 000007
【図６】
2014144069.tif 000008
【図７】
2014144069.tif 000009
【図８】
2014144069.tif 000010